(57)【特許請求の範囲】
【請求項１】
片側にシールドトンネルの覆工内面の曲率に対応させた接合面を有するとともに該接合面の反対側に仕切り支持用突部を一体に有し、前記覆工接合面とその反対面とに接着剤注入孔を連通開口させてなるプレキャストコンクリート製のシールドトンネル中仕切り用受けブロックを使用し、該受けブロックの覆工接合面を、その周縁部と覆工内面との間にシール材を介在させて覆工内面に接合させ、ジャッキを使用した仮固定用サポートによって覆工内面に押し当てて仮固定し、然る後、前記シール材に囲まれた覆工内面と前記受けブロックの覆工接合面との間の空隙に、前記接着剤注入孔を通して接着剤を注入することにより該受けブロックを覆工内面に固定し、該受けブロックに縁部を支持させて前記縦壁及び／又は床版を、プレキャスト版若しくはプレキャスト版と場所打ちコンクリートにより構築することを特徴としてなるシールドトンネル内の中仕切り構築工法。
【発明の詳細な説明】
【０００１】
【発明の属する技術分野】
本発明は、主として二次覆工を行わないシールドトンネル内に縦壁及び水平床版などの中仕切りを構築するためのシールドトンネル内の中仕切り構築工法に関する。
【０００２】
【従来の技術】
一般に大型のトンネルにおいては、内部を縦壁や水平床版などの隔壁をもって仕切り、その仕切られた空間を各種の用途に使用することが一般に行われている。
【０００３】
この隔壁の構築に際し、従来はセグメントによる一次覆工の内側に場所打ちコンクリートによる二次覆工を施していたため、隔壁の構築も二次覆工と一体に場所打ちコンクリートにより構築されるのが一般的であった。
【０００４】
しかし近年においては、シールドトンネルの一次覆工の技術が進歩し、一次覆工自体の止水性、内面平滑性、防錆機能などの向上によって二次覆工の省略が可能になっている。このため、隔壁の構築に際しても、プレキャスト版の使用が検討されつつある。
【０００５】
また、従来の隔壁構築工法では、隔壁を覆工に固定するために、二次覆工が構築される場合には、その構築時にアンカー筋を埋め込んでおき、これと一体に場所打ちコンクリートにより隔壁を構築しているが、二次覆工がない場合には、組み立てられたセグメントに予めアンカーホールを設けておくか、後づけアンカーを打ち込み等によって設置し、これに支持させて隔壁を構築している。
【０００６】
【発明が解決しようとする課題】
このような従来の中仕切り構築工法において、セグメントにアンカーホールなどの隔壁支持部を予め設置しておく方法では、セグメントによる覆工組み立て時に、隔壁支持部を有するセグメントが必ずしも所定の位置に組み込まれるものではなく、その位置がずれた場合には必要な隔壁の構築ができなくなるという問題があった。
【０００７】
また、組み立てられた覆工におけるセグメントに後づけアンカーを設置する方法においては、セグメントに断面欠損を生じさせるとともにセグメント内の鉄筋を損傷させる場合が考えられ、所定の強度が得られなくなるという問題があった。
【０００８】
更に、縦壁を構築する場合、従来の場所打ちによる工法では縦壁の上端部に打設コンクリートの充分な充填が出来ないという問題があった。
【０００９】
本発明は、このような従来の問題に鑑み、一次覆工を構成しているセグメントには何らの損傷を与えることなく、必要な位置に縦壁及び水平床版などの隔壁を隙間を空けることなく固定することができるシールドトンネル内の中仕切り用受けブロック、同受けブロックを使用した中仕切り及びその構築工法の提供を目的としてなされたものである。
【００１０】
【課題を解決するための手段】
上述の如き従来の問題を解決し、所期の目的を達成するための本発明の請求項１に記載のシールドトンネル内の中仕切り構築工法に係る発明の特徴は、片側にシールドトンネルの覆工内面の曲率に対応させた接合面を有するとともに該接合面の反対側に仕切り支持用突部を一体に有し、前記覆工接合面とその反対面とに接着剤注入孔を連通開口させてなるプレキャストコンクリート製のシールドトンネル中仕切り用受けブロックを使用し、該受けブロックの覆工接合面を、その周縁部と覆工内面との間にシール材を介在させて覆工内面に接合させ、ジャッキを使用した仮固定用サポートによって覆工内面に押し当てて仮固定し、然る後、前記シール材に囲まれた覆工内面と前記受けブロックの覆工接合面との間の空隙に、前記接着剤注入孔を通して接着剤を注入することにより該受けブロックを覆工内面に固定し、該受けブロックに縁部を支持させて前記縦壁及び／又は床版を、プレキャスト版若しくはプレキャスト版と場所打ちコンクリートにより構築することにある。
【００１１】
【発明の実施の形態】
次に本発明の実施の形態を図面について説明する。
【００１２】
図１は、本発明工法によって構築する水平床版からなる中仕切りを示しており、図中１はセグメントによる一次覆工であり、２はインバートコンクリート、３は水平床版、４は水平床版３下の縦壁、５ａ，５ａは床版用受けブロックである。
【００１３】
両受けブロック５ａ，５ａは、覆工１の軸方向を向けて連続又は間欠的に配置されるようになっており、両受けブロック５ａ，５ａ上にプレキャストコンクリート製の捨型枠パネル６を掛け渡し、その上面に突出した鉄筋７を埋め込んで場所打ちの床コンクリート８を打設し、床版３を構築する。
【００１４】
受けブロック５ａは、図２に示すように覆工１の内周面と略同じ曲率の円弧状をした接合面１０とともにその反対側に中仕切り支持用突部１６を一体に有するプレキャストコンクリート製のブロックであり、その接合面１０の周縁部にシール材１１を介在させて覆工１の内面に接合させ、ジャッキを使用した仮固定用サポート１２により覆工面に押し当てて仮固定する。
【００１５】
受けブロック５ａには、予め接着剤流入孔１３が接合面１０とその反対側の面間に貫通開口させておき、上記仮固定後にシール材１１に囲まれた覆工内面と接合面１０との間の空隙内に接着剤１４を注入する。接着剤１４としては、コンクリートに対する接着力を有し、経時硬化性のある材料を使用する。
【００１６】
このようにして、仮固定用サポートによる固定及び接着剤の注入後、捨型枠パネル６を掛け渡し、その上に必要な鉄筋９を配筋して床コンクリート８を打設する。尚、床コンクリート８の打設に際し、該床コンクリート８の両縁と覆工内面間には、ゴム厚板１５を介在させる。
【００１７】
尚、縦壁４は、予めインバートコンクリート２上に立設しておき、その上端に捨型枠パネル６の中央部分を支持させてもよく、また、床コンクリート８の打設固化後、仮固定用サポート１２を取り外した後立設してもよい。
【００１８】
図３は、本発明工法によって構築する水平床版からなる中仕切りの別の実施形態を示しており、図において５ｂ，５ｂは、床版用の受けブロックであり、水平床版２０が該ブロック５ｂ，５ｂと一体に場所打された床コンクリート８によって構築されている。尚、前述の実施形態と同一部分には、同一符号を付してその説明を省略する。（以下同じ。）
各受けブロック５ｂは、図４に示すように覆工１に対する接合面１０の反対側の面に床版２０の一部を構成する突出部２１が一体形成され、埋め込み鉄筋２２を突出させたものを使用する。これを仮固定用サポート１２により覆工内面に押し付けて仮固定し、接着剤１４を注入孔１３より注入する。
【００１９】
接着養生後、仮固定用サポートを取り外し、受けブロック５ｂ下に底面型枠２３を組み、その上に鉄筋２４を前記受けブロック５ｂの埋め込み鉄筋２２と連結させて配筋し、然る後、床コンクリート８を打設する。床コンクリート８の固化後、底面型枠２３を取り外す。尚、縦壁４の構築は前述と同様である。
【００２０】
図５は、本発明工法によって構築する縦壁からなる中仕切りを示しており、図において５ｃは縦壁上端用受けブロック、３０はインバートコンクリート２と受けブロック５ｃ間に構築した縦壁である。
【００２１】
受けブロック５ｃは、前述した受けブロック５ｂと同様に、覆工１に対する接合面１０の反対側に縦壁３０の一部を構成する突出部３１が一体に成形され、その突出側端面に埋め込み鉄筋３２が突出されているものを使用する。
【００２２】
この受けブロック５ｃを図６に示すようにシール材１１を介在させて覆工１の頂部内面に仮固定用サポート１２により仮止めする。然る後、接着剤１４を流入孔１３より注入する。
【００２３】
接着養生後、仮固定用サポートを取り外し、突出部３１の下に壁用鉄筋３３を、埋め込み鉄筋３２と一体化させて配筋し、その両面側に側面型枠３４ａ，３４ｂを組み立てる。尚、このとき一方の側面型枠３４ａは、突出部３１から離し、その下端より高い位置まで延長させ、その上端部の前記突出部３１の下端より高い位置にコンクリート打設口３５を開口させる。
【００２４】
このようにして型枠を組み立てた後、両側面型枠３４ａ，３４ｂ間に場所打ちの壁用コンクリート３６を打設し、その固化後、両型枠３４ａ，３４ｂを取り外す。
【００２５】
この実施形態では、受けブロック５ｃの下面に突出部３１を設け、それより高い位置まで側面型枠を組み、その上にコンクリート打設口３４を設けているため、壁用コンクリート３６が受けブロック５ｃの下面に隙間を生じさせることなく打設できる。
【００２６】
【発明の効果】
上述のように、本発明のシールドトンネル内の中仕切り構築工法においては、覆工内面に、プレキャストコンクリートブロックからなる受けブロックを、接着剤をもって固定し、該受けブロックに縁部を支持させて前記縦壁及び／又は床版を、プレキャスト版若しくはプレキャスト版と場所打ちコンクリートにより構築するようにしたことにより、組み立て後のセグメントに穴あけ等の加工を施すことなくどの位置にも施工ができ、断面欠損を生じさせたり、内部の鉄筋を損傷させることなく安全に構築できる。
【００２７】
また、覆工頂部内面に、プレキャストコンクリートブロックからなる受けブロックを、接着剤をもって固定し、該受けブロックはその下面に突出部を一体に設けておくとともに、該突出部より下向きに埋め込み鉄筋を突設させておき、該突出部の両側に縦壁用側面型枠を組み立て、その少なくとも一方の側面型枠を前記突出部より離すとともに、上端該突出部の下端より高い位置まで延長させ、該型枠板の上端部の前記突出部より高い位置にコンクリート打設口を設け、該コンクリート打設口より場所打コンクリートを打設するようにしたことにより、場所打コンクリートの頂部は、受けブロックの下面より高い位置となり、ブリージングを受けブロックの下面より高い位置に生じさせることができるため、縦壁の上端部まで隙間なく完全にコンクリートを打設できる。
【図面の簡単な説明】
【図１】本発明工法の第１実施形態により構築された中仕切りの断面図である。
【図２】同上の施工状態の部分拡大断面図である。
【図３】本発明工法の第２実施形態により構築された中仕切りの断面図である。
【図４】同上の施工状態の部分拡大断面図である。
【図５】本発明工法の第３実施形態により構築された中仕切りの断面図である。
【図６】同上の施工状態の部分拡大断面図である。
【符号の説明】
１ 一次覆工
２ インバートコンクリート
３ 水平床版
４ 縦壁
５ａ 床版用受けブロック
５ｂ 床版用受けブロック
５ｃ 縦壁上端用受けブロック
６ 捨型枠パネル
７ 鉄筋
８ 床コンクリート
９ 鉄筋
１０ 接合面
１１ シール材
１２ 仮固定用サポート
１３ 接着剤流入孔
１４ 接着剤
１５ ゴム厚板
２０ 床版
２１ 突出部
２２ 埋め込み鉄筋
２３ 底面型枠
２４ 鉄筋
３０ 縦壁
３１ 突出部
３２ 埋め込み鉄筋
３３ 壁用鉄筋
３４ａ，３４ｂ 側面型枠
３５ コンクリート打設口
３６ 壁用コンクリート
【図１】
0004066060.tif 000002
【図２】
0004066060.tif 000003
【図３】
0004066060.tif 000004
【図４】
0004066060.tif 000005
【図５】
0004066060.tif 000006
【図６】
0004066060.tif 000007